(57)【要約】      （修正有）【課題】スイッチ操作によって二灯点灯と一灯を切り換えることができる簡単な構成の二灯直列形の蛍光灯器具を提供する。【解決手段】安定器の出力端に対して２つの通電回路を直列に接続し、両通電回路に蛍光灯を接続し、電源スイッチの操作によって安定器から通電回路に通電して２本の蛍光灯を点灯させるようにした二灯直列形の蛍光灯器具において、途中に抵抗成分１７Ｄが設けられ、２本のうちの一方の蛍光灯１５，１６の両端間を導通させることにより一方の蛍光灯を消灯させる消灯回路１７と、消灯回路を閉成させることによって一方の蛍光灯の両端間を導通させる消灯スイッチ１８と、を備える。【選択図】図１
0003159444.tif 000002
【実用新案登録請求の範囲】
【請求項１】
安定器の出力端に対して２つの通電回路を直列に接続し、両通電回路に蛍光灯を接続し、電源スイッチの操作によって安定器から通電回路に通電して２本の蛍光灯を点灯させるようにした二灯直列形の蛍光灯器具において、
途中に抵抗成分（１７Ｄ）が設けられ、上記２本のうちの一方の蛍光灯（１５，１６）の両端間を導通させることにより上記一方の蛍光灯（１５，１６）を消灯させる消灯回路（１７）と、
上記消灯回路（１７）を閉成させることによって上記一方の蛍光灯（１５，１６）の両端間を導通させる消灯スイッチ（１８）と、
を備えたことを特徴とする蛍光灯器具。
【請求項２】
上記消灯回路（１７）は、各々が上記２本の蛍光灯（１５，１６）の一側方のコンタクトピンに接続された２つの個別回路（１７Ｂ，１７Ｃ）と、上記２本の蛍光灯（１５，１６）の一側方のコンタクトピンの間に接続された共通回路（１７Ａ）と、該共通回路（１７Ａ）と上記２つの個別回路（１７Ｂ，１７Ｃ）の一方とを切り替えて接続する切替スイッチ（１９）とから構成されている請求項１記載の蛍光灯器具。
【請求項３】
上記消灯スイッチ（１８）が電源スイッチ（１１）に併設されている請求項１記載の蛍光灯器具。
【請求項４】
上記切替スイッチ（１９）が電源スイッチ（１１）に併設されている請求項２記載の蛍光灯器具。
【考案の詳細な説明】
【技術分野】
【０００１】
本考案は蛍光灯器具に関し、特に二灯直列形の蛍光灯器具においてスイッチの操作によって二灯点灯と一灯点灯を切り換えることができるようにした器具に関する。
【背景技術】
【０００２】
オフィス、店舗、工場等で採用される二灯用蛍光灯器具には並列式と直列式とがあるが、照明設備には性能及び価格の点で優れた直列式が普及し、屋外広告などの標識には蛍光灯の点滅制御を容易に行うことのできる並列式が多く採用されている（特許文献１、特許文献２）。
【０００３】
最近、省エネルギーが叫ばれ、照明器具に関しても、昼間等のように二灯による明るい照明を必要としないときには一灯を消灯して省電力を図ることが行われているが、直列式の二灯用蛍光灯器具では一灯を外すと、残りの一灯も消灯してしまう。
【０００４】
そこで、二灯直列形の蛍光灯器具において、通常の蛍光灯に代え、対向する２つのコンタクトピンの間に、直流抵抗成分の小さい通電手段を接続したダミー管をセットし、残った一灯を点灯させるようにした方式が提案されている（特許文献３、特許文献４、特許文献５）。これらの二灯直列式の蛍光灯器具ではダミー管を用いるようにしているので、夜間など、明るい照明を必要とするときにはダミー管を通常の蛍光灯に交換しなければならず、煩雑であった。
【０００５】
また、壁面に設けた電源スイッチのＯＮ・ＯＦＦ操作の回数をカウントし、操作回数によって蛍光灯のバイメタル式のスターターの作動を許容し停止するようにした蛍光灯器具が提案されている（特許文献６）。
【先行技術文献】
【特許文献】
【０００６】
【特許文献１】実開平０６−５８５９６号公報
【特許文献２】実開平０６−５８５９９号公報
【特許文献３】特開昭５３−４５０７１号公報
【特許文献４】実開昭５６−１３０２９６号公報
【特許文献５】特開２０００−２０８２３８号公報
【特許文献６】特開２００３−１４２２７９号公報
【考案の開示】
【考案が解決しようとする課題】
【０００７】
本件出願人らは、電源スイッチのＯＮ・ＯＦＦ後の所定時間内にＯＮ操作が行われたときに、フリップフロップ回路の動作によって一灯を消灯するようにした２灯直列型及び２灯並列型の蛍光灯器具を開発し、出願するに至った（ＰＣＴ／ＪＰ２００９／６２１９４）。この蛍光灯器具では必要な時には電源スイッチの操作によって一灯のみを点灯させることができ、昼間などには一灯を消灯して省電力を図ることができ、夜間などには二灯を点灯させて明るい照明を確保することができるという利点がある。
【０００８】
しかし、上記蛍光灯器具ではフリップフロップ回路を必要とし、部品点数が多くなるとともに、回路構成が複雑となり、コスト高になってしまう。
【０００９】
本考案は、かかる点に鑑み、スイッチ操作によって二灯点灯と一灯点灯を切り替えることができるようにした蛍光灯器具を提供することを課題とする。
【課題を解決するための手段】
【００１０】
そこで、本考案に係る蛍光灯器具は、安定器の出力端に対して２つの通電回路を直列に接続し、両通電回路に蛍光灯を接続し、電源スイッチの操作によって安定器から通電回路に通電して２本の蛍光灯を点灯させるようにした二灯直列形の蛍光灯器具において、途中に抵抗成分が設けられ、上記２本のうちの一方の蛍光灯の両端間を導通させることにより上記一方の蛍光灯を消灯させる消灯回路と、上記消灯回路を閉成させることによって上記一方の蛍光灯の両端間を導通させる消灯スイッチと、を備えたことを特徴とする。
【００１１】
本考案の特徴の１つは消灯回路を消灯スイッチによって閉成させ、二灯直列形の蛍光灯器具の一方の蛍光灯の両端間を消灯回路によって導通させ、一方の蛍光灯を消灯させるようにした点にある。
【００１２】
これにより、消灯スイッチと消灯回路という構成によって一方の蛍光灯を点灯させ、他方の蛍光灯を消灯させることができ、フリップフロップ回路等の高価な部品を必要とせず、しかも部品点数が少なく、回路構成も簡単となるので、コスト高を招来することがなく、低コストを要求される蛍光灯器具に最適であり、実用化が期待できる。
【００１３】
ところで、蛍光灯器具はメーカーによって電気的特性が異なるので、特性の異なる蛍光灯器具に応じた大きさの抵抗成分を選択するのが好ましい。
【００１４】
本件考案者の実験によれば、特性の異なる蛍光灯器具の場合には一灯点灯ができても、電源の消費電力や通電量が大きく増大し、蛍光灯や安定器が大幅に温度上昇することがあって、耐久性の悪化が懸念されたが、本考案では適切な大きさの抵抗成分を選択することにより、点灯中における蛍光灯や安定器の温度上昇を抑制でき、電源の消費電力や電流量の上昇を抑えることができることが確認された。
【００１５】
抵抗成分として抵抗を用いることも考えられるが、抵抗の場合には通電によって発熱するので、インダクタを用いるのが好ましい。
【００１６】
また、消灯させる蛍光灯は予め決定しておいてもよいが、必要に応じて選択できるのがよい。そこで、２つの個別回路の各々を対応する蛍光灯の一側方のコンタクトピンに接続し、共通回路を２本の蛍光灯の一側方のコンタクトピンの間に接続し、切替スイッチによって共通回路と２つの個別回路の一方とを切り替えて接続するようにして消灯回路を構成すると、消灯させる蛍光灯を自由に選択できる。
【００１７】
本考案の特徴の１つは消灯スイッチの操作によって蛍光灯を消灯できるようにした点にある。そこで、ユーザがスイッチ操作を行いやすいように、消灯スイッチや切替スイッチを電源スイッチに併設するのがよい。
【００１８】
省電力のために１本の蛍光灯のみを点灯させると、照明が暗くなる。そこで、蛍光灯の背後に反射板を設け、照度をアップさせるようにするのが好ましい。例えば、本件発明者らの開発に係る反射板を用いることができる（特開２０００−１０６０１５号公報）。
【図面の簡単な説明】
【００１９】
【図１】本考案に係る蛍光灯器具の好ましい実施形態を示す概略構成図である。
【考案を実施するための形態】
【００２０】
以下、本考案を図面に示す具体例に基づいて詳細に説明する。図１は本考案に係る蛍光灯器具の好ましい実施形態を示す。図において、インバータ形安定器１２の入力端には商用電源１０及び電源スイッチ１１が接続され、インバータ形安定器１２の出力端には高周波電圧が出力されるようになっている。
【００２１】
インバータ形安定器１２の出力端には２つの通電回路１３、１４が直列に接続され、両通電回路１３、１４の対向するコンタクトピンの間には蛍光灯１５、１６が接続されている。
【００２２】
また、２本の蛍光灯１５、１６の一側方の通電回路（コンタクトピン）１３、１４には個別回路１７Ｂ、１７Ｃの一端が接続され、２本の蛍光灯１５、１６の他側方のコンタクトピンの間には共通回路１７Ａの一端が接続され、共通回路１７Ａの他端は個別回路１７Ｂ、１７Ｃの他端との間には切替スイッチ１９が接続され、共通回路１７Ａ、個別回路１７Ｂ、１７Ｃ及び切替スイッチ１９によって消灯回路１７が構成されている。
【００２３】
消灯回路１７の途中には消灯スイッチ１８が接続され、又消灯回路１７にはインダクタ１７Ｄ、ヒューズ１７Ｅ及び温度ヒューズ１７Ｆが接続されている。
【００２４】
電源スイッチ１１は部屋の壁面に取付けられ、消灯スイッチ１８及び切替スイッチ１９は電源スイッチ１１に併設されている。
【００２５】
電源スイッチ１１がＯＮされると、安定器１２の出力端に高周波電圧が出力され、通電回路１３、１４によって蛍光灯１５、１６に印加され、２本の蛍光灯１５、１６が点灯する。
【００２６】
今、消灯スイッチ１８がＯＮされると、切替スイッチ１９は個別回路１７Ｃ側の接点に接続されているので、共通回路１７Ａ及び個別回路１７Ｃの経路が閉成され、蛍光灯１６の両端コンタクトピンの間が導通され、蛍光灯１６が消灯し、残った蛍光灯１５のみが点灯する。
【００２７】
切替スイッチ１９を個別回路１７Ｂ側の接点に切り替えると、共通回路１７Ａ及び個別回路１７Ｂの経路が閉成され、蛍光灯１５の両端コンタクトピンの間が導通され、蛍光灯１５が消灯し、他方の蛍光灯１６のみが点灯する。
【符号の説明】
【００２８】
１０      商用電源
１１      電源スイッチ
１２      インバータ形安定器
１３、１４Ｂ      通電回路
１５、１６        蛍光灯
１７      消灯回路
１７Ａ    共通回路
１７Ｂ、１７Ｃ      個別回路
１８      消灯スイッチ
１９      切替スイッチ
【図１】
0003159444.tif 000003